(57)【要約】【課題】光波長多重通信を行う光送信器の消費電力を低減する。【解決手段】光送信器１０は、駆動回路５０Ａ〜５０Ｄから電流の供給を受けて、それぞれ異なる発振波長のレーザー光を発光する複数の発光素子２２Ａ〜２２Ｄと、複数の発光素子２２Ａ〜２２Ｄのそれぞれにより発光されたレーザー光を、送信データに応じてそれぞれ変調する光変調部２４Ａ〜２４Ｄと、光変調部２４Ａ〜２４Ｄによりそれぞれ変調されたレーザー光を合波した合波光を出力する光合波器３０と、駆動回路５０Ａ〜５０Ｄから発光素子２２Ａ〜２２Ｄのうち少なくとも１つに供給される電流を、所定の周波数で発振させる発振器６０と、光合波器３０により出力された合波光を受光して得られる信号のうち、所定の周波数に応じた周波数帯域を透過させて得た信号に基づいて、駆動回路５０Ａ〜５０Ｄから発光素子２２Ａ〜２２Ｄに供給する電流を制御する制御回路４０を含む。【選択図】図１
2011217165.tif 000002
【特許請求の範囲】
【請求項１】
駆動回路から電流の供給を受けて、それぞれ異なる発振波長のレーザー光を発光する複数の発光素子と、
前記複数の発光素子のそれぞれにより発光されたレーザー光を、送信データに応じてそれぞれ変調する光変調部と、
前記光変調部によりそれぞれ変調されたレーザー光を合波した合波光を出力する光出力部と、
前記駆動回路から前記複数の発光素子のうち少なくとも１つに供給される電流を、所定の周波数で発振させる発振部と、
前記光出力部により出力された合波光を受光して得られる信号のうち、前記所定の周波数に応じた周波数帯域を透過させて得た信号に基づいて、前記駆動回路から前記発光素子に供給する電流を制御する制御部と、を含む
ことを特徴とする光送信器。
【請求項２】
前記発振部は、前記複数の発光素子への電流供給路のうちいずれかに接続を切り替える切り替え手段を有し、
前記切り替え手段は、前記制御部により制御される駆動回路と接続される電流供給路に接続を切り替える
ことを特徴とする請求項１に記載の光送信器。
【請求項３】
前記発振部は、前記複数の発光素子への各電流供給路に接続され、それぞれ発振周波数が異なる複数の発振器を含み、
前記制御部は、前記複数の発光素子毎に、当該発光素子に供給される電流を、前記合波光を受光して得られる信号のうち、当該発光素子に供給される電流に重畳される発振周波数に応じた周波数帯域を透過させて得た信号に基づいて制御する
ことを特徴とする請求項１に記載の光送信器。
【請求項４】
前記光出力部により出力される合波光を二方向に分割する分割部と、
前記分割部により分割された一方の合波光を受光する受光素子と、をさらに含み、
前記制御部は、前記受光素子により受光して得られる信号のうち、前記所定の周波数に応じた周波数帯域を透過させて得た信号に基づいて、前記駆動回路から前記発光素子に供給する電流を制御する
ことを特徴とする請求項１乃至３のいずれかに記載の光送信器。
【請求項５】
駆動回路から電流の供給を受けて、それぞれ異なる発振波長のレーザー光を発光する複数の発光素子と、
前記複数の発光素子のそれぞれにより発光されたレーザー光を、送信データに応じてそれぞれ変調する光変調部と、
前記光変調部によりそれぞれ変調されたレーザー光を合波した合波光を出力する光出力部と、を含み、
前記駆動回路から前記複数の発光素子のうち少なくとも１つに供給される電流が、所定の周波数で発振され、
前記光出力部により出力された合波光を受光して得られる信号のうち、前記所定の周波数に応じた周波数帯域を透過させて得た信号に基づいて、前記駆動回路から前記発光素子に供給する電流が制御される
ことを特徴とする光送信部品。
【請求項６】
駆動回路から電流の供給を受けて、それぞれ異なる発振波長のレーザー光を発光する複数の発光素子のうち少なくとも１つに供給される電流を、所定の周波数で発振させるステップと、
前記複数の発光素子のそれぞれにより発光されたレーザー光を、送信データに応じてそれぞれ変調する光変調ステップと、
前記光変調ステップでそれぞれ変調されたレーザー光を合波した合波光を出力する光出力ステップと、
前記光出力ステップで出力された合波光を受光して得られる信号のうち、前記所定の周波数に応じた周波数帯域を透過させて得た信号に基づいて、前記駆動回路から前記発光素子に供給する電流を制御する制御ステップと、を含む
ことを特徴とする光送信器の制御方法。
【発明の詳細な説明】
【技術分野】
【０００１】
本発明は、光送信器、光送信部品及び光送信器の制御方法に関する。
【背景技術】
【０００２】
高速データ通信網の構築に光通信が用いられている。光通信においては、送信される光信号の出力を安定させるために、発光素子からの光出力を制御することが行われている（例えば、特許文献１を参照）。また、通信を高速化させるために、１波長のレーザー光だけでなく、複数の異なる波長のレーザー光を多重化させて通信を行う光波長多重通信技術が開発されてきている。
【先行技術文献】
【特許文献】
【０００３】
【特許文献１】特許第３８２８７０６号
【発明の概要】
【発明が解決しようとする課題】
【０００４】
光波長多重通信では、多重化する複数の発光素子毎に出力の制御を行う必要があり、そのための受光素子、制御回路を波長毎に設けると光送信器の消費電力やサイズが大きくなってしまうという課題があった。
【０００５】
本発明は上記課題に鑑みてなされたものであり、その目的の一つは、光波長多重通信を行う際の消費電力を低減することができる光送信器、光送信部品及び光送信機の制御方法を提供することにある。
【課題を解決するための手段】
【０００６】
上記目的を達成するために、本発明の一態様に係る光送信器は、駆動回路から電流の供給を受けて、それぞれ異なる発振波長のレーザー光を発光する複数の発光素子と、前記複数の発光素子のそれぞれにより発光されたレーザー光を、送信データに応じてそれぞれ変調する光変調部と、前記光変調部によりそれぞれ変調されたレーザー光を合波した合波光を出力する光出力部と、前記駆動回路から前記複数の発光素子のうち少なくとも１つに供給される電流を、所定の周波数で発振させる発振部と、前記光出力部により出力された合波光を受光して得られる信号のうち、前記所定の周波数に応じた周波数帯域を透過させて得た信号に基づいて、前記駆動回路から前記発光素子に供給する電流を制御する制御部と、を含むことを特徴とする。
【０００７】
また、本発明の他の一態様に係る光送信器では、前記発振部は、前記複数の発光素子への電流供給路のうちいずれかに接続を切り替える切り替え手段を有し、前記切り替え手段は、前記制御部により制御される駆動回路と接続される電流供給路に接続を切り替えることとする。
【０００８】
また、本発明の他の一態様に係る光送信器では、前記発振部は、前記複数の発光素子への各電流供給路に接続され、それぞれ発振周波数が異なる複数の発振器を含み、前記制御部は、前記複数の発光素子毎に、当該発光素子に供給される電流を、前記合波光を受光して得られる信号のうち、当該発光素子に供給される電流に重畳される発振周波数に応じた周波数帯域を透過させて得た信号に基づいて制御することとする。
【０００９】
また、本発明の他の一態様に係る光送信器では、前記光出力部により出力される合波光を二方向に分割する分割部と、前記分割部により分割された一方の合波光を受光する受光素子と、をさらに含み、前記制御部は、前記受光素子により受光して得られる信号のうち、前記所定の周波数に応じた周波数帯域を透過させて得た信号に基づいて、前記駆動回路から前記発光素子に供給する電流を制御することとする。
【００１０】
また、本発明の一態様に係る光送信部品は、駆動回路から電流の供給を受けて、それぞれ異なる発振波長のレーザー光を発光する複数の発光素子と、前記複数の発光素子のそれぞれにより発光されたレーザー光を、送信データに応じてそれぞれ変調する光変調部と、前記光変調部によりそれぞれ変調されたレーザー光を合波した合波光を出力する光出力部と、を含み、前記駆動回路から前記複数の発光素子のうち少なくとも１つに供給される電流が、所定の周波数で発振され、前記光出力部により出力された合波光を受光して得られる信号のうち、前記所定の周波数に応じた周波数帯域を透過させて得た信号に基づいて、前記駆動回路から前記発光素子に供給する電流が制御されることを特徴とする。
【００１１】
また、本発明の一態様に係る光送信器の制御方法は、駆動回路から電流の供給を受けて、それぞれ異なる発振波長のレーザー光を発光する複数の発光素子のうち少なくとも１つに供給される電流を、所定の周波数で発振させるステップと、前記複数の発光素子のそれぞれにより発光されたレーザー光を、送信データに応じてそれぞれ変調する光変調ステップと、前記光変調ステップでそれぞれ変調されたレーザー光を合波した合波光を出力する光出力ステップと、前記光出力ステップで出力された合波光を受光して得られる信号のうち、前記所定の周波数に応じた周波数帯域を透過させて得た信号に基づいて、前記駆動回路から前記発光素子に供給する電流を制御する制御ステップと、を含むことを特徴とする。
【発明の効果】
【００１２】
本発明の一態様によれば、光波長多重通信を行う光送信器において発光素子の出力制御を選択的に行うことで消費電力を低減することができる。
【００１３】
本発明の一態様によれば、光波長多重通信を行う光送信器において少なくとも１つの発振部と制御部との組により全発光素子の出力制御を行うことができる。
【００１４】
本発明の一態様によれば、光波長多重通信を行う光送信器において全発光素子の出力制御を同時に行うことができる。
【００１５】
本発明の一態様によれば、光波長多重通信を行う光送信器において受光素子の数を１つにすることができる。
【図面の簡単な説明】
【００１６】
【図１】第１の実施形態に係る光送信器の構成図である。
【図２】第１の実施形態に係る光送信器における発光素子の出力制御処理のフローチャートである。
【図３】第２の実施形態に係る光送信器の構成図である。
【図４】光波長多重通信方式における光送信器の一構成例を示す図である。
【発明を実施するための形態】
【００１７】
本発明を実施するための形態（以下、実施形態）を説明する前に、まず光波長多重通信において一般に用いられる構成について説明する。
【００１８】
図４には、光波長多重通信方式における光送信器５１０の一構成例を示した。図４に示された光送信器５１０は、４波長多重の光送信器５１０であり、光送信器５１０にはそれぞれ異なる波長のレーザー光を変調出力する４つの光アセンブリ５２０Ａ，５２０Ｂ，５２０Ｃ，５２０Ｄが搭載されている。以下、光アセンブリ５２０Ａ，５２０Ｂ，５２０Ｃ，５２０Ｄに共通する内容については符号Ａ，Ｂ，Ｃ，Ｄを除いた形式で記述する。なお、他の符号についても同様の規則を適用することとする。
【００１９】
光アセンブリ５２０は、駆動回路５５０（５５０Ａ〜５５０Ｄ）から供給される駆動電流（レーザー電流）に従ってレーザー光を発光する発光素子５２２（５２２Ａ〜５２２Ｄ）と、発光素子５２２から発光されたレーザー光を送信データに応じて変調する変調器５２４（５２４Ａ〜５２４Ｄ）と、発光素子５２２から発光されたレーザー光を受光する受光素子５２６（５２６Ａ〜５２６Ｄ）とを備える光送信部品である。変調器５２４には、電解吸収型光変調器（ＥＡ）を用いることとしてよく、例えば２５Ｇｂｉｔ／ｓで発光素子５２２からの前方出射光を変調するものとしてよい。また、受光素子５２６は発光素子５２２からの後方出射光を受光することとしてよい。
【００２０】
発光素子５２２はそれぞれ異なる波長を発振するレーザーダイオード（ＬＤ）であり、例えば、発光素子５２２の発振波長は１．３μｍ帯において８００ＧＨｚ間隔で４波長を選択することとしてよい。
【００２１】
４つの光アセンブリ５２０から出力されたレーザー光は、光合波器５３０に入力されて合波された後に、当該合波された合波光が光送信器５１０と接続された光ファイバー５を介して外部装置に出力される。
【００２２】
駆動回路５５０は発光素子５２２毎に設けられるドライバ（ＬＤＤ）であり、駆動回路５５０からそれぞれ対応する発光素子５２２に供給される駆動電流の大きさは制御回路５４０により制御される。
【００２３】
制御回路５４０は、各光アセンブリ５２０の受光素子５２６により受光された光出力の信号に基づいて、各光アセンブリ５２０からの光出力が所定の強度となるように、各駆動回路５５０から対応する発光素子５２２に供給する駆動電流の大きさを変化させる。
【００２４】
図４に示された光送信器５１０では、多重化する波長の数に応じて光アセンブリ５２０、制御回路５４０、駆動回路５５０の組が増えていくこととなるため、光送信器５１０の小型化が困難であり、消費電力も増えてしまう。
【００２５】
次に、図４に示した光波長多重通信方式の光送信器５１０が抱える課題を解決した、本発明の第１の実施形態に係る光送信器について説明する。
【００２６】
図１には、第１の実施形態に係る光送信器１０の構成図を示した。図１に示されるように、光送信器１０は、光アセンブリ２０、バンドパスフィルタ３４、制御回路４０、駆動回路５０（５０Ａ〜５０Ｄ）、及び発振器６０を備える。
【００２７】
光アセンブリ２０は、それぞれ異なる波長のレーザー光を発光する発光素子２２（２２Ａ〜２２Ｄ）と、各発光素子２２により発光されるレーザー光を送信データに応じてそれぞれ変調する光変調器２４（２４Ａ〜２４Ｄ）と、変調された各レーザー光を合波する光合波器３０と、光合波器３０により合波された合波光を２方向に分割するビームスプリッター３２（ハーフミラー）と、ビームスプリッター３２により分割された一方の合波光を受光する受光素子２６（フォトダイオード）を備える光送信部品である。
【００２８】
発光素子２２はそれぞれ異なる波長を発振するレーザーダイオード（ＬＤ）であり、例えば、発光素子２２の発振波長は１．３μｍ帯において８００ＧＨｚ間隔で多重波長数（例えば４つ）の波長を選択することとしてよい。各発光素子２２にはそれぞれ対応する駆動回路５０から駆動電流が供給される。
【００２９】
駆動回路５０は、制御回路４０による設定に応じて、それぞれ対応する発光素子２２に駆動電流を供給する回路（ＬＤドライバ）である。駆動回路５０から発光素子２２に駆動電流を供給する電流供給路には、それぞれ発振器６０により生成された波長信号と駆動電流とを混合して発振させる混合器７０（７０Ａ〜７０Ｄ）が設けられている。
【００３０】
発振器６０は、光変調器２４による変調波長とは異なる所定波長の信号を出力する回路である。例えば、発振器６０の発振波長は、光変調器２４の変調波長に対して長いこととしてよい。また、発振器６０は混合器７０との接続を切り替えるスイッチ６２を有しており、制御回路４０からの制御信号に基づいて選択された混合器７０に接続される。
【００３１】
発光素子２２は、駆動回路５０から供給された駆動電流に従ってレーザー光を発光する。この際に、発振器６０が接続された電流供給路から供給される駆動電流は、発振器６０に固有の発振波長で発振した状態となっている。そして、光変調器２４にはそれぞれ図示しない駆動部から送信データに応じて電圧が印加され、発光素子２２から前方に出射されるレーザー光を吸収し変調する。
【００３２】
光変調器２４でそれぞれ変調されたレーザー光は光合波器３０で合波された後、ビームスプリッター３２により光ファイバー側と、受光素子２６側の二方向に分割される。ここで、受光素子２６で受光された光出力の信号はバンドパスフィルタ３４に入力される。なお、光アセンブリ２０から出力される光信号には、光変調器２４による変調周期と発振器６０による発振周期とが重畳されているが、変調周期と発振周期とはスペクトル中心が異なっているため、駆動電流を発振させなかった場合に比べても光出力の信号特性が劣らない。
【００３３】
バンドパスフィルタ３４は、発振器６０の発振波長に応じた帯域の信号を選択的に透過させるフィルタである。例えばバンドパスフィルタ３４を、発振器６０の発振波長をピークとして信号を透過させるように構成することとしてよい。本実施形態では、バンドパスフィルタ３４により、４波長が多重化された光信号を受光して得た電気信号のうち、発振器６０により発振された駆動電流に基づいて出力された光信号に対応する電気信号が選択的に透過される。バンドパスフィルタ３４を透過した信号は制御回路４０に入力される。
【００３４】
制御回路４０は、バンドパスフィルタ３４から入力される信号に基づいて、発光素子２２の出力制御を行う回路である。本実施形態では、制御回路４０は出力制御対象の発光素子２２を選択し、当該選択した発光素子２２に駆動電流を供給する駆動回路５０と接続するようにスイッチ４２を切り替えると共に、発振器６０に上記選択した駆動回路５０に対応する混合器７０にスイッチ６２を切り替えるように制御信号を出力する。そして、制御回路４０は、上記各スイッチ４２，スイッチ６２の切り替え後にバンドパスフィルタ３４から入力される信号を目標値と比較し、その差分を埋め合わせるように駆動回路５０から発光素子２２に供給される駆動電流の大きさを制御するものである。
【００３５】
例えば発光素子２２のレーザー効率劣化もしくは光アセンブリ２０内の部品搭載状態の変化などにより光学的な結合効率が変化して光合波器３０からの出力が変動する場合には、バンドパスフィルタ３４を介して制御回路４０に入力される信号の出力振幅は発光素子２２のレーザー効率劣化や光アセンブリ２０内の光学的な結合効率と線形な関係があると考えられる。例えばレーザー効率が劣化する場合には、バンドパスフィルタ３４を介して制御回路４０に入力される信号の出力振幅は減少する。この場合、制御回路４０は入力信号の振幅減少分に相応する分だけ発光素子２２の光出力を大きくするように駆動回路５０を制御すればよい。同様に光アセンブリ２０内の部品搭載状態の変化などにより光学的な結合効率が変化して光合波器３０からの出力が減少する場合には、制御回路４０は入力信号の振幅変動分に相応する分だけ発光素子２２の光出力を大きくするように駆動回路５０を制御すればよい。逆に制御回路４０は入力信号の振幅が増大する場合には発光素子２２の光出力を小さくするように駆動回路５０を制御すればよい。もちろんバンドパスフィルタ３４から入力される受光素子２６の出力には発振器６０による発振周期の他にも光変調器２４による変調周期が重畳されているが、光変調器２４による変調周期のスペクトル中心と発振器６０による発信周期のスペクトルの中心とは異なることから、バンドパスフィルタ３４を透過した信号においては光変調器２４による変調周期の影響は無視できる。
【００３６】
制御回路４０は、出力制御の対象とする発光素子２２を所定の条件に応じて順次切り替えることとしてよい。例えば、制御回路４０は所定の時間間隔毎に出力制御の対象とする発光素子２２を切り替えることとしてもよいし、出力制御の対象としている発光素子２２の出力と目標値との差分が所定の範囲内に収まっている場合に出力制御の対象とする発光素子２２を切り替えることとしてもよい。
【００３７】
図２には、第１の実施形態に係る光送信器１０における発光素子２２の出力制御処理のフローチャートを示した。
【００３８】
図２に示されるように、制御回路４０は出力を制御する対象の発光素子２２を選択し（Ｓ１０１）、当該選択した発光素子２２に駆動電流を供給する駆動回路５０と制御回路４０を接続すると共に、当該選択した発光素子２２に供給される駆動電流を発振するように発振器６０と混合器７０を接続するように、スイッチ４２，６２を切り替える（Ｓ１０２）。
【００３９】
各駆動回路５０は発光素子２２に駆動電流を出力し（Ｓ１０３）、発振器６０は選択された駆動回路５０から出力される駆動電流を発振させる（Ｓ１０４）。発光素子２２はそれぞれ入力された駆動電流に応じて波長の異なるレーザー光を発光し（Ｓ１０５）、光変調器２４は送信データに応じてレーザー光を吸収し変調する（Ｓ１０６）。光合波器３０では、光変調器２４により変調された波長の異なる各レーザー光を合波して出力する（Ｓ１０７）。
【００４０】
受光素子２６は、光合波器３０から出力された合波光を受光し（Ｓ１０８）、その光出力に基づく信号をバンドパスフィルタ３４に透過させる（Ｓ１０９）。制御回路４０は、バンドパスフィルタ３４を透過して抽出された制御対象の発光素子２２からの光出力に対応した信号に基づいて、制御対象の発光素子２２に供給する駆動電流量を制御する（Ｓ１１０）。制御回路４０は、例えば制御対象の発光素子２２を変更するタイミングが到来したか否か等の条件に基づいて、制御対象を変更するか否かを判断し（Ｓ１１１）、制御対象を変更すると判定する場合には（Ｓ１１１：Ｙ）、処理Ｓ１０１に戻って新たな制御対象の発光素子２２を選択してそれ以降の処理を繰り返し、制御対象を変更しないと判定する場合には（Ｓ１１１：Ｎ）、処理Ｓ１０３に戻ってそれ以降の処理を繰り返すこととしてよい。
【００４１】
以上説明した、第１の実施形態に係る光送信器１０によれば、図４に示した光送信器５１０に比べて、制御回路４０及び受光素子２６の数を低減できるため、光送信器１０の小型化の点で有利となり、さらに消費電力を低減させる点でも有利となる。
【００４２】
次に、本発明を実施するための第２の実施形態を図面に従って説明する。
【００４３】
図３には、第２の実施形態に係る光送信器１０の構成図を示した。図３に示されるように、光送信器１０は、光アセンブリ２０、バンドパスフィルタ３４（３４Ａ〜３４Ｄ）、制御回路４０（４０Ａ〜４０Ｄ）、駆動回路５０（５０Ａ〜５０Ｄ）、及び発振器６０（６０Ａ〜６０Ｄ）を備える。第１の実施形態に係る光送信器１０からの相違点は、第２の実施形態に係る光送信器１０は、発振器６０、制御回路４０（４０Ａ〜４０Ｄ）及びバンドパスフィルタ３４（３４Ａ〜３４Ｄ）が発光素子２２（２２Ａ〜２２Ｄ）毎に設けられていることにある。なお、光アセンブリ２０は第１の実施形態に係る光送信器１０におけるものと同じであるため説明を省略する。
【００４４】
駆動回路５０は、制御回路４０による設定に応じて、それぞれ対応する発光素子２２に駆動電流を供給する回路である。駆動回路５０から発光素子２２に駆動電流を供給する電流供給路には、それぞれ発振器６０により生成された波長信号と駆動電流とを混合して発振させる混合器７０（７０Ａ〜７０Ｄ）が設けられている。
【００４５】
発振器６０（６０Ａ〜６０Ｄ）は、光変調器２４（２４Ａ〜２４Ｄ）による変調波長とは異なる所定波長の信号を出力する回路であり、各発振器６０の発振波長はそれぞれ異なるように構成されている。例えば、発振器６０の発振波長は、光変調器２４の変調波長に対して長くなるようにしてよい。
【００４６】
発光素子２２は、駆動回路５０から供給された駆動電流に基づいてレーザー光を発光する。この際に、各駆動回路５０から供給される駆動電流は、対応する発振器６０に固有の発振波長により発振した状態となっている。そして、光変調器２４にはそれぞれ図示しない駆動部から送信データに応じて電圧が印加され、発光素子２２から前方に出射されるレーザー光を吸収し変調する。
【００４７】
光変調器２４でそれぞれ変調されたレーザー光は光合波器３０で合波された後、ビームスプリッター３２により光ファイバー５側と、受光素子２６側の二方向に分割される。ここで、受光素子２６で受光された光出力に基づく信号はバンドパスフィルタ３４に入力される。なお、光送信器１０からの光出力には、光変調器２４による変調周期と発振器６０による発振周期とが重畳された状態となるが、変調周期と発振周期とはスペクトル中心が異なっているため、駆動電流を発振させなかった場合に比べても光出力の信号特性が劣らない。
【００４８】
バンドパスフィルタ３４は、各発振器６０の発振波長に応じた帯域の信号を選択的に透過させるフィルタである。各バンドパスフィルタ３４はそれぞれ、いずれかの発振器６０の発振波長に対応していることとする。例えば、バンドパスフィルタ３４は、発振器６０の発振波長をピークとして信号を透過させるように構成することとしてよい。本実施形態では、各バンドパスフィルタ３４により、多重化された波長毎の光信号を受光して得た信号がそれぞれ選択的に透過され、対応する制御回路４０に入力する。
【００４９】
制御回路４０は、バンドパスフィルタ３４から入力される信号に基づいて、それぞれ発光素子２２の出力制御を行う回路である。例えば制御回路４０は、制御回路４０に入力されるバンドパスフィルタ３４の出力振幅が減少した場合には、入力信号の振幅減少分に相応する分だけ発光素子２２の光出力を大きくするように駆動回路５０を制御し、入力信号の振幅が増大する場合には発光素子２２の光出力を小さくするように駆動回路５０を制御することとしてよい。
【００５０】
以上説明した、第２の実施形態に係る光送信器１０によれば、図４に示した光送信器５１０に比べて、受光素子２６の数を低減させることができるため、光送信器１０の小型化の点で有利となり、さらに消費電力を低減させる点でも有利となる。
【００５１】
本発明は上記の実施形態に限定されるものではない。例えば、第１の実施形態において、発振器６０と制御回路４０を１つずつ設けることとしたが、発振器６０と制御回路４０をそれぞれ複数（光波長多重数に満たない数）設け、発振器６０と制御回路４０の各スイッチ４２，６２をそれぞれ同期させて切り替えるようにしても構わない。上記以外にも、本発明の趣旨を逸脱しない範囲内で、この分野の通常の知識を有する当業者によって多様な変更、変形又は置換が可能であることはもちろんである。
【符号の説明】
【００５２】
５  光ファイバー、１０  光送信器、２０  光アセンブリ、２２（２２Ａ〜２２Ｄ）  発光素子、２４（２４Ａ〜２４Ｄ）  光変調器、２６（２６Ａ〜２６Ｄ）  受光素子、３０  光合波器、３２  ビームスプリッター、３４（３４〜３４Ｄ）  バンドパスフィルタ、４０（４０Ａ〜４０Ｄ）  制御回路、４２  スイッチ、５０（５０Ａ〜５０Ｄ）  駆動回路、６０（６０Ａ〜６０Ｄ）  発振器、６２  スイッチ、７０（７０Ａ〜７０Ｄ）  混合器、５１０  光送信器、５２０（５２０Ａ〜５２０Ｄ）  光アセンブリ、５２２（５２２Ａ〜５２２Ｄ）  発光素子、５２４（５２４Ａ〜５２４Ｄ）  光変調器、５２６（５２６Ａ〜５２６Ｄ）  受光素子、５３０  光合波器、５４０（５４０Ａ〜５４０Ｄ）  制御回路、５５０（５５０Ａ〜５５０Ｄ）  駆動回路。
【図１】
2011217165.tif 000003
【図２】
2011217165.tif 000004
【図３】
2011217165.tif 000005
【図４】
2011217165.tif 000006